(57)【特許請求の範囲】
【請求項１】
二次電池が装着され、該二次電池からの電力を利用する衣服において、該衣服の内側に前記二次電池を充電するための端子が左右非対称の位置に設けられていることを特徴とする衣服。
【請求項２】
請求項１記載の衣服において、端子は肩部に設けられていることを特徴とする衣服。
【請求項３】
二次電池が装着された衣服を吊り下げるためのハンガーであって、前記衣服は内側に二次電池を充電するための端子が設けられ、かつ前記衣服を吊り下げることにより前記端子と接触する位置に充電出力端子が設けられていることを特徴とするハンガー。
【請求項４】
請求項３記載のハンガーにおいて、充電出力端子より供給される充電電力を得るための充電回路を内蔵したことを特徴とするハンガー。
【請求項５】
請求項３記載のハンガーにおいて、ハンガーを吊り下げるための吊り下げフックの内側に充電電力供給端子が設けられていることを特徴とするハンガー。
【発明の詳細な説明】
【０００１】
【発明の属する技術分野】
本発明は、衣服および該衣服に装着された二次電池を充電するためのハンガーまたは該ハンガー用架台に関するもので、さらに詳しく言えば、携帯機器用、保温用、医療用等に利用する二次電池を装着した衣服および該衣服を吊り下げることによって前記二次電池が充電できるハンガーまたは前記ハンガーを吊り下げて該ハンガーに充電電力を供給するためのハンガー用架台に関するものである。
【０００２】
【従来の技術】
近年、電池が装着され、該電池からの電力を携帯機器用、保温用、医療用等に利用する衣服が種々の用途に用いられるようになってきている。
【０００３】
このような衣服に用いられる電池は使用後充電することによって再利用することができる二次電池が多く用いられているが、使用後充電する場合には衣服から二次電池を取り外して別の場所で専用の充電器によって充電し、充電完了後再び衣服に取り付けて使用するというものが一般的である。
【０００４】
【発明が解決しようとする課題】
上記した従来の衣服では、電池を充電している間は型崩れが生じないような適当な保管場所で保管し、電池の充電完了後は衣服を前記保管場所から取り出してそれに電池を取り付けて同じまたは別の保管場所で保管するようにしているが、充電のために電池を取り外したり、充電完了後の電池を取り付けたりするごとに衣服を保管場所から出し入れしなければならず、取り扱いが煩雑であるという問題があった。
【０００５】
【課題を解決するための手段】
上記課題を解決するため、本発明は、二次電池が装着され、該二次電池からの電力を携帯機器用、保温用、医療用等に利用する衣服において、該衣服の内側に前記二次電池を充電するための端子が設けられていることを特徴とする衣服で、この衣服をその端子と接触する位置に充電出力端子が設けられたハンガーに吊り下げると前記二次電池を充電することができる。
【０００６】
また、前記衣服において、二次電池は高分子固体電解質を用いた薄型二次電池であることを特徴とするものであり、これによって衣服の形状をほとんど変化させることなく二次電池を装着することができる。
【０００７】
また、前記衣服において、端子は肩部に設けられていることを特徴とするものであり、この衣服を充電出力端子が設けられたハンガーに吊り下げることにより二次電池を充電することができる。
【０００８】
また、前記衣服において、端子は左右非対称の位置に設けられていることを特徴とするものであり、これによって衣服の左右を逆に上記ハンガーに吊り下げても二次電池に逆電圧が印加されることが防止できる。
【０００９】
また、本発明は、二次電池が装着された衣服を吊り下げるためのハンガーであって、前記衣服は内側に二次電池を充電するための端子が設けられ、かつ前記衣服を吊り下げることにより前記端子と接触する位置に充電出力端子が設けられていることを特徴とするハンガーで、上記衣服をこのハンガーに吊り下げることによって該衣服に装着された二次電池を充電することができる。
【００１０】
また、前記ハンガーにおいて、充電出力端子より供給される充電電力を得るための充電回路を内蔵したことを特徴とするものであり、これによって商用電源等が得られる場所であればハンガーを移動させて充電することができる。
【００１１】
また、前記ハンガーにおいて、ハンガーを吊り下げるための吊り下げフックの内側に充電電力供給端子が設けられていることを特徴とするものであり、このハンガーをその充電電力供給端子と接触する位置に充電電源端子が設けられたハンガー用架台に吊り下げると充電出力端子に二次電池を充電するための充電電力を得ることができる。
【００１２】
また、本発明は、充電出力端子が設けられたハンガーを吊り下げるためのハンガー用架台であって、前記ハンガーが吊り下げフックの内側に充電電力供給端子を有し、かつ前記ハンガーの吊り下げフックが吊着される位置に、ハンガーの充電電力供給端子と接触する充電電源端子が設けられていることを特徴とするハンガー用架台で、前記ハンガーの吊り下げフックを吊着することによりハンガーの充電出力端子に二次電池を充電するための充電電力を得ることができる。
【００１３】
また、前記ハンガー用架台において、充電電源端子は複数のハンガーを吊り下げられる位置に複数組設けられ、かつこの充電電源端子より供給される充電電力を得るための充電回路を内蔵したことを特徴とするものであり、二次電池を装着した複数の衣服を同時に吊り下げてその二次電池を充電することができる。
【００１４】
【発明の実施の形態】
以下、本発明を、その実施の形態に基づいて説明する。
【００１５】
図１は本発明の実施例に係る衣服１０の図である。
【００１６】
図１の衣服１０の特徴は、背部１０１に二次電池１１が装着され、この二次電池１１を充電するための端子Ａ１，Ａ２が衣服１０の肩部１０２の内側に左右非対称の位置に設けられていることである。
【００１７】
前記二次電池１１としては、高分子固体電解質を用いた、柔軟性に富んだ、厚みが０．３〜０．７ｍｍで、ＰＴＣ素子を内蔵したリチウム二次電池やリチウムイオン二次電池のような薄型の二次電池がよく、このような二次電池を装着した衣服であればそれを着用しても違和感がなく、しかも端子Ａ１，Ａ２と二次電池１１との接続部を簡素化できるという点においても好ましい。
【００１８】
また、前記二次電池１１は、寿命になったときに交換できるように装着しておくことは言うまでもない。
【００１９】
また、前記衣服１０の二次電池１１が装着される部分は、二次電池１１の放電時に放熱を容易にするためにメッシュ状にしておくことが好ましい。
【００２０】
また、前記二次電池１１は衣服１０の背部１０１に設けているが、前述した如く、柔軟性に富んだものであるため、腕部、脇部、肩部など衣服１０の用途に応じた場所に設けられることは言うまでもない。
【００２１】
図２および図３は前記衣服１０に装着された二次電池１１を充電するためのハンガー２０，３０に係る図である。
【００２２】
図２および図３のハンガー２０，３０の特徴は、背部１０１に二次電池１１が装着され、この二次電池１１を充電するための端子Ａ１，Ａ２を肩部１０２の内側に設けた衣服１０を吊り下げることにより、衣服１０の重力によって端子Ａ１，Ａ２と接触するように充電出力端子Ｂ１，Ｂ２が左右非対称の位置に設けられていることであり、図２のハンガー２０は前記充電出力端子Ｂ１，Ｂ２より供給される充電電力を得るための充電回路２１を内蔵するとともにこの充電回路２１に商用電源等の電力を供給するための電源プラグ２２が設けられていることを特徴とし、図３のハンガー３０は鋏状の吊り下げフック３０１の内側に充電電力供給端子Ｃ１，Ｃ２が設けられていることである。
【００２３】
前記衣服１０に設けた端子Ａ１，Ａ２は凹状にし、前記ハンガー２０，３０に設けた充電出力端子Ｂ１，Ｂ２は凸状にすれば、衣服１０をハンガー２０，３０に吊り下げる際に端子Ａ１，Ａ２と充電出力端子Ｂ１，Ｂ２とが接触したことを容易に感知することができる。
【００２４】
また、前記ハンガー２０，３０に設けた充電出力端子Ｂ１，Ｂ２の凸部の外径に対し、衣服１０に設けた端子Ａ１，Ａ２の凹部の内径を大きくしたり、端子Ａ１，Ａ２または充電出力端子Ｂ１，Ｂ２の一方を磁石にすることによって端子Ａ１，Ａ２と充電出力端子Ｂ１，Ｂ２とを確実に接触させることができる。
【００２５】
また、充電出力端子Ｂ１，Ｂ２は左右非対称の位置に設けているが、これは衣服１０を左右逆にハンガー２０，３０に吊り下げても二次電池１１に逆電圧が印加されないようにするためのもので、充電回路２１を無極性充電器としたり、逆接続防止機能を有するものとすれば、左右対称の位置に設けてもよいことは言うまでもない。
【００２６】
図４は前記ハンガー３０の鋏状の吊り下げフック３０１を吊着するのに適したハンガー用架台４０に係る図である。
【００２７】
図４のハンガー用架台４０の特徴は、ハンガー３０の鋏状の吊り下げフック３０１を吊着するためのアーム４１、このアーム４１を支える支柱４２およびこの支柱４２を固定する台座４３からなり、前記アーム４１にはハンガー３０の鋏状の吊り下げフック３０１が吊着される位置に充電電源端子Ｄ１，Ｄ２が設けられ、前記支柱４２と台座４３との接続部には前記充電電源端子Ｄ１，Ｄ２に充電電力を得るための充電回路４４とこの充電回路４４に商用電源等の電力を供給するための電源プラグ４５が設けられていることであり、ハンガー３０の鋏状の吊り下げフック３０１の内側の充電電力供給端子Ｃ１，Ｃ２とアーム４１の充電電源端子Ｄ１，Ｄ２とを接触させることによってハンガー３０の充電出力端子Ｂ１，Ｂ２から充電電力を得ることができる。
【００２８】
なお、前記ハンガー用架台４０のアーム４１に吊着するハンガー３０の吊り下げフック３０１は鋏状のものとしたが、アーム４１に吊着することができ、しかも吊着することによって充電電力供給端子Ｃ１，Ｃ２とアーム４１の充電電源端子Ｄ１，Ｄ２とが接触できる構成のものであれば、図２のような形状のものでアーム４１に嵌着して吊り下げられるものであってもよい。
【００２９】
なお、前記ハンガー用架台４０のアーム４１は、複数のハンガー３０が吊着できるようにすることもでき、この場合は複数のハンガー３０を吊着する位置に複数組の充電電源端子Ｄ１，Ｄ２が設けられる。
【００３０】
前記ハンガー２０に内蔵した充電回路２１および前記ハンガー用架台４０に設けられた充電回路４４にはタイマー、スイッチ、ＬＥＤなどを設け、衣服１０をハンガー２０に吊り下げて電源プラグ２２を商用電源に接続した後、または衣服１０をハンガー３０に吊り下げてからこのハンガー３０をハンガー用架台４０のアーム４１に吊着した後、前記タイマーを所定時間に設定し、スイッチをオンすれば充電できるようにし、ＬＥＤは充電中か充電完了かを表示するようにすればよい。
【００３１】
【発明の効果】
上記した如く、本発明の衣服は着用しても違和感をなくすことができるとともに、その軽量化を図ることができるので、携帯型のカセットレコーダーのような携帯機器用、低温環境下で着用する作業服の保温用、心電図検査のための医療用等に用いることができ、しかもこのような衣服に装着された二次電池はハンガーに吊り下げることにより、また該ハンガーをハンガー用架台に吊り下げることによって充電することができるので、前記衣服を型崩れさせずに保管することができるとともにそれに装着された二次電池の充電を可能にすることができる。
【図面の簡単な説明】
【図１】本発明の衣服１０の図である。
【図２】本発明のハンガー２０の図である。
【図３】本発明のハンガー３０の図である。
【図４】本発明のハンガー３０が吊り下げられるハンガー用架台４０の図である。
【符号の説明】
１０ 衣服
１１ 二次電池
２０，３０ ハンガー
２１，４４ 充電回路
４０ ハンガー用架台
４１ アーム
４２ 支柱
４３ 台座
Ａ１，Ａ２ 端子
Ｂ１，Ｂ２ 充電出力端子
Ｃ１，Ｃ２ 充電電力供給端子
Ｄ１，Ｄ２ 充電電源端子
【図１】
0003870402.tif 000002
【図２】
0003870402.tif 000003
【図３】
0003870402.tif 000004
【図４】
0003870402.tif 000005